(57)【特許請求の範囲】
【請求項１】
下方に光を照射する照明器具であって、
下方に開口する器具本体と、
前記器具本体の底板の下面に取り付けられるＬＥＤ基板と、前記ＬＥＤ基板の下面に設けられる所定厚みの蛍光体層と、を備えるＬＥＤユニットと、
前記ＬＥＤユニットにおける前記蛍光体層の下面から所定の間隔をおいて配置され、頂部に前記ＬＥＤユニットからの光が入射される光入射用の開口が設けられ、かつ内面が、前記光入射用の開口から入射された光を下方に向けて反射する反射面である反射板と、を備え、
前記所定厚みの蛍光体層は長方形の断面形状を有し、前記長方形の対角線の延長線よりも下方に、前記反射板の前記光入射用の開口が位置し、前記蛍光体層の側面から出射される黄色味の強い光は、前記反射板の前記光入射用の開口から前記反射板の内部に入り込まずに、前記反射板の上部の空間を進行する照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、光源を配置した基板を光源配設部と反射板との間に配置し、器具本体の略中心部から反射体を引き寄せて、基板を器具本体に密着させるものが知られている（例えば、特許文献１参照）。
【先行技術文献】
【特許文献】
【０００３】
【特許文献１】特開２００８−２０４６９２号公報（図２、請求項１）
【発明の概要】
【発明が解決しようとする課題】
【０００４】
特許文献１は、光学性能を発揮させ、放熱性能を向上させつつ、商品性を損なわなくできる。
ところで、図５に示すように、特許文献１と同様に、ＬＥＤパッケージ１０１が実装された基板１０２を反射板１０３に有する開口部１０４に取り付けた照明器具１００が提案されている。
しかし、このような従来の照明器具１００は、水平方向に出射されるＬＥＤパッケージ１０１からの強い黄色の光成分が反射板１０２により反射される。
そのため、このような従来の照明器具１００は、反射板１０２により反射された強い黄色の光成分により、照射面１０５に、ＬＥＤパッケージ１０１からの直射光と反射板１０２からの反射光との境界線１０６が顕著に表れる。
従って、このような従来の照明器具１００は、色温度の制御が難しいために斑を有する光が照射され、光の質の向上が難しい。
【０００５】
本発明は、前述した課題を解決するためになされたものであり、その目的は、色温度を制御して光の質を向上できる照明器具を提供することにある。
【課題を解決するための手段】
【０００６】
本発明に係る照明器具は、下方に光を照射する照明器具であって、下方に開口する器具本体と、前記器具本体の底板の下面に取り付けられるＬＥＤ基板と、前記ＬＥＤ基板の下面に設けられる所定厚みの蛍光体層と、を備えるＬＥＤユニットと、前記ＬＥＤユニットにおける前記蛍光体層の下面から所定の間隔をおいて配置され、頂部に前記ＬＥＤユニットからの光が入射される光入射用の開口が設けられ、かつ内面が、前記光入射用の開口から入射された光を下方に向けて反射する反射面である反射板と、を備え、前記所定厚みの蛍光体層は長方形の断面形状を有し、前記長方形の対角線の延長線よりも下方に、前記反射板の前記光入射用の開口が位置し、前記蛍光体層の側面から出射される黄色味の強い光は、前記反射板の前記光入射用の開口から前記反射板の内部に入り込まずに、前記反射板の上部の空間を進行する。
【発明の効果】
【０００７】
本発明に係る照明器具によれば、色温度を制御して光の質を向上できる光むらを防止できるという効果を奏する。
【図面の簡単な説明】
【０００８】
【図１】本発明に係る一実施形態の照明器具の斜め上方から視た外観斜視図
【図２】本発明に係る一実施形態の照明器具の断面斜視図
【図３】本発明に係る一実施形態の照明器具のＬＥＤユニットと反射板との側面図
【図４】本発明に係る一実施形態の照明器具の光学的特性を説明する反射板周りの垂直断面図
【図５】従来の照明器具の特性を説明する断面図
【発明を実施するための形態】
【０００９】
以下、本発明に係る一実施形態の照明器具について図面を参照して説明する。
図１に示すように、本発明に係る一実施形態の照明器具１０は、器具本体１１と、器具本体１１の下方に取り付けられる枠体１２とを備え、不図示の天井材の埋設孔に埋め込まれてダウンライト等に適用される。
器具本体１１は、例えばアルミニウムダイキャスト等の金属製であって、略円筒形状に形成されている。器具本体１１は、その上部に複数の放熱フィン１３を有する。
器具本体１１は、不図示のブラケットを介して同じく不図示の電源ユニットが外側に取り付けられる。
枠板１２は、例えば硬質の樹脂材料により成形されており、下端部にフランジ形状の化粧板１４を有し、一対の取付ばね１５が側部の対向する位置に取り付けられている。
【００１０】
図２に示すように、照明器具１０は、器具本体１１に有する底板１６の下面にＬＥＤユニット１７が取り付けられ、ＬＥＤユニット１７の直下に反射板１８が取り付けられ、反射板１８の前方に乳白色や透明なレンズ１９が取り付けられる。
ＬＥＤユニット１７は、四角形で所定の厚みを有する蛍光体層２０がＬＥＤ基板２１の前面に封止されており、ＬＥＤ基板２１に有する不図示のプリント回路が電源ユニットに電気的に接続される。
ＬＥＤユニット１７は、水平方向に黄色味の強い光成分を発する。
反射板１８は、底板２２の中央部に円錐台形状の反射面２３を有し、反射面２３の頂部に円形の開口部２４を有する。開口部２４は、ＬＥＤユニット１７の蛍光体層２０の同軸上に配置される。
枠体１２は、レンズ１９の前方の内面に円錐台形状の補助反射面２５を有する。
【００１１】
図３に示すように、ＬＥＤユニット１７は、蛍光体層２０の断面対角線Ａの延長上に反射板１８の開口部２４を配置する。
すなわち、反射板１８の開口部２４は、ＬＥＤユニット１７の蛍光体層２０の逆サイドの下方末端の点を通過する直線よりも下方に位置する。
【００１２】
図４に示すように、ＬＥＤユニット１７は、蛍光体層２０の断面対角線Ａの延長上に反射板１８の開口部２４を配置するために、反射板１８の上端面とＬＥＤ基板２１の下面との間にあらかじめ定められた隙間Ｌ１を有する。
【００１３】
このような照明器具１０は、取付ばね１５が器具本体１１に沿うように弾性変形された状態で、器具本体１１が天井材の埋設孔内に下方から挿入される。
そして、器具本体１１が天井材の埋設孔内に挿入された後に、取付ばね１５が水平方向に弾性復元されることにより、器具本体１１が天井材に支持されて、照明器具１０が天井面に設置される。
【００１４】
次に、照明器具１０の光学的特性について説明する。
電源ユニットを通じてＬＥＤ基板２１のプリント回路に電流が供給されることによりＬＥＤユニット１７が発光させる。
ＬＥＤユニット１７は、駆動されることにより、水平方向に黄色味の強い光成分を発するとともに、水平方向に対して斜め方向に黄色以外の光成分を発する。
このとき、ＬＥＤユニット１７は、水平方向に発した黄色味の強い光成分が反射板１８の開口部２４内に入射されず、反射板１８の反射面２３に向けて進行されない。
そして、ＬＥＤユニット１７は、水平方向に対して斜め方向に発した黄色以外の光成分が反射板１８の開口部２４内に入射され、反射板１８の反射面２３により反射されて出射される。
そのため、色温度を制御することにより、ＬＥＤユニット１７からの黄色味の強い光成分が与えられないために、斑を有する光が照射されない。
従って、照射面１において、境界線のない照射を行うことにより、光の質を向上できる。
【００１５】
以上、説明した本発明に係る一実施形態の照明器具１０によれば、ＬＥＤユニット１７が、蛍光体層２０の断面対角線Ａ上に反射板１８の開口部２４を配置するために、色温度を制御して光の質を向上できる。
【００１６】
なお、本発明の照明器具において器具本体，枠体，反射板，レンズ，取付ばね等は、前述した一実施形態に限定されるものでなく、適宜な変形や改良等が可能である。
【符号の説明】
【００１７】
１０  照明器具
１１  器具本体
１７  ＬＥＤユニット
１８  反射板
２０  蛍光体層
２４  開口部
【図１】
0005776012.tif 000002
【図２】
0005776012.tif 000003
【図３】
0005776012.tif 000004
【図４】
0005776012.tif 000005
【図５】
0005776012.tif 000006